(57)【要約】【目的】入力無信号時でも正常にＯＳＤ表示が行えるセットトップボックスを提供する。【構成】加算回路２１は、Ｈ同期抜き取り部７及びＶ同期抜き取り部８で抜き取られたＨ／Ｖ同期を加算して出力する。波形整形回路２２は、加算回路２１の出力を整形する。この波形成形回路２２の出力が垂直同期信号及び水平同期信号に相当する信号を有した自己生成信号となる。スイッチ回路（ＳＷ）２３は、コンポーネント信号におけるＹ信号及び波形整形回路２２による自己生成信号を入力し、ＣＰＵ９の指令に基づいていずれかを選択して出力する。ＣＰＵ９は、ＤＥＦ回路２Ｃの状況をＩＩＣ−Ｂｕｓを介して読み取り、入力映像信号が存在するかどうかを判断し、入力映像信号が存在しない場合には、自己生成信号が選択されるようにスイッチ２３に指令を与える。【選択図】　　　　　　　　図１
2004104267.tif 000002
【特許請求の範囲】
【請求項１】
受信した放送波に基づく映像信号及び外部映像機器からの映像信号をコンポーネント信号に変換して出力するセットトップボックスであって、生成したオンスクリーンディスプレイ用文字信号をコンポーネント信号のＹ信号を基準に処理することにより文字映像が重畳されたコンポーネント信号を生成するＯＳＤ手段と、垂直同期信号及び水平同期信号に相当する信号を有した自己生成信号を前記コンポーネント信号におけるＹ信号の代わりとして前記ＯＳＤ手段に出力する手段と、を備えたことを特徴とするセットトップボックス。
【請求項２】
請求項１に記載のセットトップボックスにおいて、外部映像機器からコンポーネント信号を入力し、内部生成のコンポーネント信号と切り替えて出力できるように構成されたことを特徴とするセットトップボックス。
【請求項３】
請求項１又は請求項２に記載のセットトップボックスにおいて、サンドキャッスルパルスから抜き取った垂直同期相当信号及び水平同期相当信号を加算することによって前記自己生成信号を得るように構成されたことを特徴とするセットトップボックス。
【請求項４】
請求項１乃至請求項３のいずれかに記載のセットトップボックスにおいて、入力無信号状態か否かを判断し、入力信号有りのときにはコンポーネント信号のＹ信号を選択し、入力信号無しのときには前記自己生成信号を選択するように構成されたことを特徴とするセットトップボックス。
【請求項５】
請求項１乃至請求項４のいずれかに記載のセットトップボックスにおいて、入力ソースを判断する手段を備え、ＯＳＤ表示にて入力ソースを表す文字を表示するように構成されたことを特徴とするセットトップボックス。
【発明の詳細な説明】
【０００１】
【産業上の利用分野】
この発明は、セットトップボックスに関する。
【０００２】
【従来の技術】
図５は従来のセットトップボックスの回路構成を示したブロック図である。チューナ（ＴＵ）１は、アンテナ（ＡＮＴ）から放送波（ＲＦ信号）を受信し、これを中間周波数（ＩＦ周波数）信号に変換して中間周波数処理回路（ＩＦ回路）２Ａに与える。中間周波数処理回路（ＩＦ回路）２Ａは、中間周波数信号を復調して放送受信映像信号（ＲＦ　Ｖｉｄｅｏ）に変換し、これをＡＶスイッチ（ＡＶ　ＳＷ）３に送る。
【０００３】
ＡＶスイッチ３にはＹ／Ｃ分離回路４が接続されている。このＹ／Ｃ分離回路４は、放送受信映像信号（ＲＦ　Ｖｉｄｅｏ）或いは図示しないテープレコーダ等からの映像信号（ＶＩＤＥＯ　ＩＮ）に対してＹ／Ｃ分離処理を行う。また、ＡＶスイッチ３にはＤＶＤプレーヤーからのコンポーネント（Ｙ、Ｃｂ、Ｃｒ）信号のうちＹ信号が与えられるようになっている。コンポーネント信号の波形例を図８に示している。
【０００４】
Ｖ／Ｃ回路２Ｂは、放送受信映像信号（ＲＦ　Ｖｉｄｅｏ）又は映像信号（ＶＩＤＥＯ　ＩＮ）が入力された場合は、ＡＶスイッチ３からＣ（クロマ）信号を受け取ってその復調を行うことによりＣｂ，Ｃｒを生成し、このＣｂ，Ｃｒをスイッチ／ＯＳＤ回路（ＳＷ　ａｎｄ　ＯＳＤ　Ｍｉｘ）５に送る。
【０００５】
ＤＥＦ（Ｄｅｆｌｅｃｔｉｏｎ）回路２Ｃは、ＡＶスイッチ３からのＹ信号を同期分離することにより、Ｖ同期信号／Ｈ同期信号を抜き取り、ＡＦＣ（Ａｕｔｏｍａｔｉｃ　Ｆｒｅｑｕｅｎｃｙ　Ｃｏｎｔｒｏｌ）回路６にＨ（水平）同期を出力し、このＡＦＣ回路６の出力をＳＣＰ（Ｓａｎｄ　Ｃａｓｔｌｅ　Ｐｕｌｓｅ）部に入力することによりＰＬＬ回路を構成して安定した周波数にする。ＤＥＦ回路２ＣのＳＣＰ部からは、Ｖ（垂直）同期が図１２（ｂ）に示すように出力される。また、Ｈ（水平）同期も同図（ａ）のように出力される。
【０００６】
前記ＡＶスイッチ３は、放送受信映像信号（ＲＦ　Ｖｉｄｅｏ）、映像信号（ＶＩＤＥＯ　ＩＮ）、及びＤＶＤのコンポーネントＹＩＮの何れの信号を使用するかを選択する。ユーザが放送受信映像信号を選択した場合は、Ｙ／Ｃ分離回路４に放送受信映像信号を供給し、Ｙ／Ｃに分離された信号を入力する。入力されたＹ／Ｃ分離信号はＶ／Ｃ回路２Ｂ及びＤＥＦ回路２Ｃに供給する。ユーザが映像信号（ＶＩＤＥＯ　ＩＮ）を選択した場合は、Ｙ／Ｃ分離回路４に映像信号を供給し、Ｙ／Ｃに分離された信号を入力する。入力されたＹ／Ｃ分離信号はＶ／Ｃ回路２Ｂ及びＤＥＦ回路２Ｃに供給する。ユーザがＤＶＤコンポーネント入力を選択した場合は、コンポーネントＹＩＮをＹ信号としてＶ／Ｃ回路２Ｂ及びＤＥＦ回路２Ｃに送る。
【０００７】
ＡＦＣ回路６は、同期分離されたＨ同期と発振回路で作られたＨ同期との位相比較を行うための波形整形回路である。位相比較回路や発振回路は、ＩＣに内蔵されている。
【０００８】
Ｈ同期抜き取り部７はＳＣＰ部からＨ同期を抜き取る回路であり、抜き取ったＨ同期はＣＰＵ９に送られＯＳＤ表示位置のトリガーとなる。Ｖ同期抜き取り部８はＳＣＰ部からＶ同期を抜き取る回路であり、抜き取ったＶ同期はＣＰＵ９に送られＯＳＤの表示位置のトリガーとなる。
【０００９】
ＣＰＵ９は、ＩＩＣ−ＢｕｓによりＡＶスイッチ３、中間周波数回路２Ａ、Ｖ／Ｃ回路２Ｂ、ＤＥＦ回路２Ｃの制御を行う。また、ＣＰＵ９は、コンポーネント入力を選択するか或いはコンポジットビデオを選択するかの選択信号をスイッチ／ＯＳＤ回路５に送る。また、ＣＰＵ９は、入力された信号に対してＯＳＤ割り込みを行う（ＲＧＢ　ＦＢＫ（ファーストブランク）信号出力）。
【００１０】
遅延回路（Ｄｅｌａｙ　Ｌｉｎｅ）１０は、Ｙ信号を遅延させる。Ｃ信号（色信号）は、Ｖ／Ｃ回路２Ｂで復調され、Ｃｂ、Ｃｒ信号に変換されスイッチ／ＯＳＤ回路５に送られる。これに対しＹ信号は、Ｖ／Ｃ回路２Ｂでは処理をされないのでＣ信号に対してタイミングが速い。そこで、遅延回路１０によって色信号とＹ信号の位相差を合わせることとしている。
【００１１】
スイッチ／ＯＳＤ回路（ＳＷ　ａｎｄ　ＯＳＤ　Ｍｉｘ）５は、コンポーネント入力を選択するかコンポジットビデオ信号を選択するかの選択信号をＣＰＵ９から受けてＳＷを切り換える。ＣＰＵ９からのＲＧＢ　ＦＢＫ信号出力に応じて入力された信号に対してＯＳＤ割り込みを行い、ＯＳＤ文字映像であるＣＰＵ９からのＲＧＢ映像信号をＹ，Ｃｂ、Ｃｒ信号に変換して出力する。
【００１２】
図６（ａ）（ｂ）は輝度信号（Ｙ信号）と水平同期信号（Ｈ−ＳＹＮＣ）との関係を示し、図６（ｃ）（ｄ）は輝度信号（Ｙ信号）と垂直同期信号（Ｖ−ＳＹＮＣ）との関係を示している。図７には水平同期信号（Ｈ−ＳＹＮＣ）と垂直同期信号（Ｖ−ＳＹＮＣ）により決定される画面エリア上でのＯＳＤ表示の例を示している。図９（ａ）にＯＳＤ信号の波形形態を示し、同図（ｂ）（ｃ）（ｄ）にＯＳＤ信号が正常に重畳されたコンポーネント信号波形形態を示している。
【００１３】
【発明が解決しようとする課題】
上記の従来のセットトップボックスでは、放送受信映像信号（ＲＦ　Ｖｉｄｅｏ）、映像信号（ＶＩＤＥＯ　ＩＮ）、或いはＤＶＤのコンポーネント（Ｙ，Ｃｂ，Ｃｒ）信号が入力されている場合には、そのＹ信号により、図１１（ａ）に示すごとく、正常な位置にＯＳＤ表示が行える。しかしながら、図１０（ａ）（ｂ）（ｃ）に示すごとく入力無信号状態では、スイッチ／ＯＳＤ回路５にはＹ信号が与えられないため、同図（ｄ）に示すごとくＯＳＤ信号が付加されても、同図（ｅ）（ｆ）（ｇ）に示すごとくＹ，Ｃｂ，Ｃｒに対するＯＳＤ付加位置が定まらないことになり、図１１（ｂ）に示すごとく、ＯＳＤ表示が正常な位置に表示されず、ＯＳＤ表示が流れるという不具合があった。このため、入力無信号時にはＯＳＤ表示を行わないとする対策を採っていた。
【００１４】
この発明は、上記の事情に鑑み、入力無信号時でも正常にＯＳＤ表示が行えるセットトップボックスを提供することを目的とする。
【００１５】
【課題を解決するための手段】
この発明のセットトップボックスは、上記課題を解決するために、受信した放送波に基づく映像信号及び外部映像機器からの映像信号をコンポーネント信号に変換して出力するセットトップボックスであって、生成したオンスクリーンディスプレイ用文字信号をコンポーネント信号のＹ信号を基準に処理することにより文字映像が重畳されたコンポーネント信号を生成するＯＳＤ手段と、垂直同期信号及び水平同期信号に相当する信号を有した自己生成信号を前記コンポーネント信号におけるＹ信号の代わりとして前記ＯＳＤ手段に出力する手段と、を備えたことを特徴とする。
【００１６】
上記の構成であれば、垂直同期信号及び水平同期信号に相当する信号を有した自己生成信号を前記コンポーネント信号におけるＹ信号の代わりとして前記ＯＳＤ手段に出力できるので、たとえ入力無信号状態でも正常にＯＳＤ表示が行えることになる。
【００１７】
外部映像機器からコンポーネント信号を入力し、内部生成のコンポーネント信号と切り替えて出力できるように構成されているのがよい。また、サンドキャッスルパルスから抜き取った垂直同期相当信号及び水平同期相当信号を加算することによって前記自己生成信号を得るように構成されているのがよい。また、入力無信号状態か否かを判断し、入力信号有りのときにはコンポーネント信号のＹ信号を選択し、入力信号無しのときには前記自己生成信号を選択するように構成されているのがよい。また、入力ソースを判断する手段を備え、ＯＳＤ表示にて入力ソースを表す文字を表示するように構成されているのがよい。
【００１８】
【発明の実施の形態】
以下、この発明の実施形態のセットトップボックスを図１乃至図４に基づいて説明する。
【００１９】
図１はセットトップボックス３０と、アンテナ３１と、外部機器であるＤＶＤプレーヤ３２，ＶＴＲ３３と、モニタ３４との接続関係を示した説明図である。セットトップボックス３０はＤＶＤプレーヤ３２からコンポーネント信号を入力し、ＶＴＲ３３からコンポジット信号を入力する。そして、ＶＴＲ３３からのコンポジット信号及び放送受信映像に基づくコンポジット信号をコンポーネント信号（Ｙ，Ｃｂ，Ｃｒ）に変換してモニタ３４に供給するようになっている。
【００２０】
図２はセットトップボックス３０の具体的構成を示したブロック図である。なお、説明の便宜上、従来構成と同様の機能を有する機能部には同一の符号を付記している。チューナ（ＴＵ）１は、アンテナ（ＡＮＴ）３１から放送波（ＲＦ信号）を受信し、これを中間周波数（ＩＦ周波数）信号に変換して中間周波数処理回路（ＩＦ回路）２Ａに与える。中間周波数処理回路（ＩＦ回路）２Ａは、中間周波数信号を復調して放送受信映像信号（ＲＦ　Ｖｉｄｅｏ）に変換し、これをＡＶスイッチ（ＡＶ　ＳＷ）３に送る。
【００２１】
ＡＶスイッチ３にはＹ／Ｃ分離回路４が接続されている。このＹ／Ｃ分離回路４は、放送受信映像信号（ＲＦ　Ｖｉｄｅｏ）或いは図示しないテープレコーダ等からの映像信号（ＶＩＤＥＯ　ＩＮ）に対してＹ／Ｃ分離処理を行う。また、ＡＶスイッチ３にはＤＶＤプレーヤーからのコンポーネント（Ｙ、Ｃｂ、Ｃｒ）信号のうちＹ信号が与えられるようになっている。コンポーネント信号の波形例を図８に示している。
【００２２】
Ｖ／Ｃ回路２Ｂは、放送受信映像信号（ＲＦ　Ｖｉｄｅｏ）又は映像信号（ＶＩＤＥＯ　ＩＮ）が入力された場合は、ＡＶスイッチ３からＣ（クロマ）信号を受け取ってその復調を行うことによりＣｂ，Ｃｒを生成し、このＣｂ，Ｃｒをスイッチ／ＯＳＤ回路（ＳＷ　ａｎｄ　ＯＳＤ　Ｍｉｘ）５に送る。
【００２３】
ＤＥＦ（Ｄｅｆｌｅｃｔｉｏｎ）回路２Ｃは、ＡＶスイッチ３からのＹ信号を同期分離することにより、Ｖ同期信号／Ｈ同期信号を抜き取り、ＡＦＣ（Ａｕｔｏｍａｔｉｃ　Ｆｒｅｑｕｅｎｃｙ　Ｃｏｎｔｒｏｌ）回路６にＨ（水平）同期を出力し、このＡＦＣ回路６の出力をＳＣＰ（Ｓａｎｄ　Ｃａｓｔｌｅ　Ｐｕｌｓｅ）部に入力することによりＰＬＬ回路を構成して安定した周波数にする。ＤＥＦ回路２ＣのＳＣＰ部からは、Ｖ（垂直）同期が図１２（ｂ）に示すように出力される。また、Ｈ（水平）同期も同図（ａ）のように出力される。
【００２４】
前記ＡＶスイッチ３は、放送受信映像信号（ＲＦ　Ｖｉｄｅｏ）、映像信号（ＶＩＤＥＯ　ＩＮ）、及びＤＶＤのコンポーネントＹＩＮの何れの信号を使用するかを選択する。ユーザが放送受信映像信号を選択した場合は、Ｙ／Ｃ分離回路４に放送受信映像信号を供給し、Ｙ／Ｃに分離された信号を入力する。入力されたＹ／Ｃ分離信号はＶ／Ｃ回路２Ｂ及びＤＥＦ回路２Ｃに供給する。ユーザが映像信号（ＶＩＤＥＯ　ＩＮ）を選択した場合は、Ｙ／Ｃ分離回路４に映像信号を供給し、Ｙ／Ｃに分離された信号を入力する。入力されたＹ／Ｃ分離信号はＶ／Ｃ回路２Ｂ及びＤＥＦ回路２Ｃに供給する。ユーザがＤＶＤコンポーネント入力を選択した場合は、コンポーネントＹＩＮをＹ信号としてＶ／Ｃ回路２Ｂ及びＤＥＦ回路２Ｃに送る。
【００２５】
ＡＦＣ回路６は、同期分離されたＨ同期と発振回路で作られたＨ同期との位相比較を行うための波形整形回路である。位相比較回路や発振回路は、ＩＣに内蔵されている。
【００２６】
Ｈ同期抜き取り部７はＳＣＰ部からＨ同期を抜き取る回路であり、抜き取ったＨ同期はＣＰＵ９に送られＯＳＤ表示位置のトリガーとなる。Ｖ同期抜き取り部８はＳＣＰ部からＶ同期を抜き取る回路であり、抜き取ったＶ同期はＣＰＵ９に送られＯＳＤの表示位置のトリガーとなる。
【００２７】
加算回路２１は、Ｈ同期抜き取り部７及びＶ同期抜き取り部８で抜き取られたＨ／Ｖ同期を加算して出力する。
【００２８】
波形整形回路２２は、加算回路２１の出力が大きいことに鑑みて必要なレベルになるように波形整形を行う。この実施形態ではｐｅａｋ・ｔｏ・ｐｅａｋが０．３Ｖｐ−ｐとなるように調整されている。この波形成形回路２２の出力が垂直同期信号及び水平同期信号に相当する信号を有した自己生成信号となる。入力無信号時には、それまで得られていた同期信号に基づくＳＣＰ部の出力は自走状態となってそのまま継続して出力されていることになり、入力無信号となった後も自己生成信号の出力は可能である。
【００２９】
スイッチ回路（ＳＷ）２３は、コンポーネント信号におけるＹ信号及び波形整形回路２２による自己生成信号を入力し、ＣＰＵ９の指令に基づいていずれかを選択して出力する。選択出力は遅延回路（Ｄｅｌａｙ　Ｌｉｎｅ）１０を経てスイッチ／ＯＳＤ回路（ＳＷ　ａｎｄ　ＯＳＤ　Ｍｉｘ）５に送られる。
【００３０】
この実施形態においては、Ｙ／Ｃ分離回路４は、ＮＴＳＣ４．４３ＭＨｚをＹ／Ｃ分離できないため、ＡＶスイッチ３のＹ信号出力には色信号である４．４３ＭＨｚの成分が乗ったままである。そこで、４．４３ＭＨｚＴｒａｐ回路２４をＹ信号ライン上に設けて当該信号成分を除去するようにしている。このＴｒａｐ回路２４はＣＰＵ９によってＯＮ／ＯＦＦ制御される。
【００３１】
ＣＰＵ９は、ＩＩＣ−ＢｕｓによりＡＶスイッチ３、中間周波数回路２Ａ、Ｖ／Ｃ回路２Ｂ、ＤＥＦ回路２Ｃの制御を行う。また、コンポーネント入力を選択するかそれともコンポジットビデオを選択するかの選択信号をスイッチ／ＯＳＤ回路５に送る。また、ＣＰＵ９は、入力された信号に対してＯＳＤ割り込みを行う（ＲＧＢ　ＦＢＫ（ファーストブランク）信号出力）。更に、ＣＰＵ９は、ＤＥＦ回路２Ｃの状況をＩＩＣ−Ｂｕｓを介して読み取り、入力映像信号が存在するかどうかを判断し、入力映像信号が存在しない場合には、自己生成信号が選択されるようにスイッチ２３に指令を与える。また、ＣＰＵ９は、Ｖ／Ｃ回路２Ｂからカラーシステム情報をＩＩＣ−Ｂｕｓを介して受け取り、ＮＴＳＣ４．４３ＭＨｚのシステムであると判断したときには、Ｔｒａｐ回路２４をＯＮする。また、ＣＰＵ９は、放送受信状態か、ＶＴＲ信号入力状態か、ＤＶＤ信号入力状態かの入力ソース判断が行え、ＯＳＤ文字生成において、その状態に応じて入力ソースを表す文字を生成するようになっている。なお、入力無信号時において、入力無しを示す文字を生成するようになっていてもよい。
【００３２】
遅延回路（Ｄｅｌａｙ　Ｌｉｎｅ）１０は、Ｙ信号の位相を遅延させる。Ｃ信号（色信号）は、Ｖ／Ｃ回路２Ｂで復調され、Ｃｂ、Ｃｒ信号に変換されスイッチ／ＯＳＤ回路５に送られる。Ｙ信号は、Ｖ／Ｃ回路２Ｂでは処理をされないのでＣ信号に対してタイミングが速い。そこで、遅延回路１０によって色信号とＹ信号の位相差を合わせることとしている。
【００３３】
スイッチ／ＯＳＤ回路（ＳＷ　ａｎｄ　ＯＳＤ　Ｍｉｘ）５は、ＣＰＵ９からコンポーネント入力を選択するかコンポジットビデオ信号を選択するかの選択信号を受けＳＷを切り換える。ＣＰＵ９からのＲＧＢ／ＦＢＫ信号出力に応じて入力された信号に対してＯＳＤ割り込みを行い、ＯＳＤ文字映像であるＣＰＵ９からのＲＧＢ映像信号をＹ，Ｃｂ、Ｃｒ信号に変換して出力する。
【００３４】
図３は垂直同期信号及び水平同期信号に相当する信号を有した自己生成信号及びＣｂ、Ｃｒ信号にＯＳＤ信号が載せられた状態を示した説明図である。無信号時には、垂直同期信号及び水平同期信号に相当する信号を有した自己生成信号をコンポーネント信号におけるＹ信号の代わりとしてスイッチ／ＯＳＤ回路５に出力できるので、入力無信号状態でも正常にＯＳＤ表示が行えることになる。
【００３５】
図４はスイッチ／ＯＳＤ回路５を成すＩＣの構成を示した説明図である。図の※１乃至※４は図１に示している※１乃至※４に対応している。
【００３６】
【発明の効果】
以上説明したように、この発明によれば、受信した放送波及び外部映像機器からの映像信号をコンポーネント信号に変換して出力するセットトップボックスにおいて、入力無信号時でも正常にＯＳＤ表示が行えるという効果を奏する。
【図面の簡単な説明】
【図１】セットトップボックス及び外部機器等との接続形態を示した説明図である。
【図２】この発明の実施形態のセットトップボックスを示したブロック図である。
【図３】自己生成信号及びＣｂ、Ｃｒ信号にＯＳＤ信号が載せられた状態を示した説明図である。
【図４】スイッチ／ＯＳＤ回路を成すＩＣの構成を示した説明図である。
【図５】従来のセットトップボックスを示したブロック図である。
【図６】同図（ａ）（ｂ）は輝度信号（Ｙ信号）と水平同期信号（Ｈ−ＳＹＮＣ）との関係を示し、図６（ｃ）（ｄ）は輝度信号（Ｙ信号）と垂直同期信号（Ｖ−ＳＹＮＣ）との関係を示した説明図である。
【図７】水平同期信号（Ｈ−ＳＹＮＣ）と垂直同期信号（Ｖ−ＳＹＮＣ）により決定される画面エリア上でのＯＳＤ表示の例を示した説明図である。
【図８】コンポーネント信号波形形態を示した説明図である。
【図９】同図（ａ）にＯＳＤ信号の波形形態を示し、同図（ｂ）（ｃ）（ｄ）にＯＳＤ信号が重畳されたコンポーネント信号波形形態を示した説明図である。
【図１０】無信号状態を示した説明図である。
【図１１】無信号状態でのＯＳＤ重畳を示した説明図である。
【図１２】サンドキャッスルパルスを示した説明図である。
【符号の説明】
１　　チューナ
２Ａ　中間周波数処理回路（ＩＦ回路）
２Ｂ　Ｖ／Ｃ回路
２Ｃ　ＤＥＦ回路
３　　ＡＶスイッチ（ＡＶ　ＳＷ）
４　　Ｙ／Ｃ分離回路
５　　スイッチ／ＯＳＤ回路（ＳＷ　ａｎｄ　ＯＳＤ　Ｍｉｘ）
６　　ＡＦＣ回路
７　　Ｈ同期抜き取り部
８　　Ｖ同期抜き取り部
９　　ＣＰＵ
２１　加算回路
２２　波形整形回路
２３　スイッチ回路（ＳＷ
【図１】
2004104267.tif 000003
【図２】
2004104267.tif 000004
【図３】
2004104267.tif 000005
【図４】
2004104267.tif 000006
【図５】
2004104267.tif 000007
【図６】
2004104267.tif 000008
【図７】
2004104267.tif 000009
【図８】
2004104267.tif 000010
【図９】
2004104267.tif 000011
【図１０】
2004104267.tif 000012
【図１１】
2004104267.tif 000013
【図１２】
2004104267.tif 000014